(57)【要約】      （修正有）【課題】単一個のガス容器接続アダプターを利用して、様々な形状のガス容器をガス容器接続アダプターと結合させても緊密に気密が行われるようにし、ガスが外部に漏えいされることを防止することができるガス容器接続アダプターを提供する。【解決手段】ガス容器結合部２００によりガス容器１０に結合され、ガス容器から供給されるガスを吐出するガス供給路１１０が形成された本体１００と、ガス供給路の入口側に備えられ、ガス容器結合部に結合されるガス容器から供給されるガスが、ガス供給路の外側に漏えいされることを防止し、ガス容器に備えられたノズルの形状に応じて、選択的にノズルと接触する複数の気密手段３１１，３１２を備えた気密部３００と、本体とガス容器結合部の間にガス容器の把持部を設けた。【選択図】図５
2016023927.tif 000002
【特許請求の範囲】
【請求項１】
ガス容器結合部によりガス容器に結合され、前記ガス容器から供給されるガスを吐出するガス供給路が形成された本体と、
前記ガス供給路の入口側に備えられ、前記ガス容器結合部に結合されるガス容器から供給されるガスが、前記ガス供給路の外側に漏えいされることを防止し、前記ガス容器に備えられたノズルの形状に応じて、選択的に前記ノズルと接触する複数の気密手段を備えた気密部と、
を含むことを特徴とするガス容器接続アダプター。
【請求項２】
前記気密手段は、相対的に長くて細く形成されたノズルと接触するように上側に配置され、相対的に小さな直径を有するように形成された第１のＯリングと、相対的に短くて太く形成されたノズルと接触するように前記第１のＯリングの下側に配置され、相対的に大きな直径を有するように形成された第２のＯリングと、を含むことを特徴とする請求項１に記載のガス容器接続アダプター。
【請求項３】
前記第１のＯリングと前記第２のＯリングと間には、前記第１のＯリングが離脱されることを防止できるように、その中央領域にノズル挿入孔が貫通形成された離脱防止板が備えられたことを特徴とする請求項２に記載のガス容器接続アダプター。
【請求項４】
前記ノズル挿入孔の下側の外周面は、挿入されるノズルの上面が前記ノズル挿入孔の外周面に係止されることを防止するように、先細くなるように形成された傾斜面が備えられたことを特徴とする請求項３に記載のガス容器接続アダプター。
【発明の詳細な説明】
【技術分野】
【０００１】
本発明は、ガス容器接続アダプターに関する。さらに詳しくは、様々な形態のガス容器を連結しても気密が保持できるガス容器接続アダプターに関するものである。
【背景技術】
【０００２】
一般に、家庭や屋外で使用している携帯及び移動が可能なガス装置は、ブタンガス容器のように燃料が充填された携帯用ガス容器を取り付けて使用されている。
【０００３】
ガス容器は、ほとんど国際規格に合わせて製造されるため、世界どこでも購入し、便利に使用することができるという利点がある。
【０００４】
図１は、従来のガス容器接続アダプターを含むガストーチの構造を示した斜視図であり、図２は、図１のガス容器接続アダプターを含むガストーチの内部構造を示した断面図である。
【０００５】
図１、２に示されるように、従来の携帯用ガス噴射装置は、「┓」状の本体１と、本体１の一側に形成された火炎の大きさを調節するように排出されるガス量を調節するガス調節口２と、携帯用ガス容器に脱付着可能に形成された接続アダプター３と、本体１の端部に設けられるパイプ状の火口４と、で構成されており、前記本体１の内部には、図２のように、接続アダプター３に結合された携帯用ガス容器から供給されるガスをガイドし、ガス量を調節する調節部材６とガスを噴射する噴射ノズル７とが設けられた「┓」状の供給管５が設けられ、供給管５から噴射され排出されるガスに点火させる点火装置８が設けられ、火口４の内部には、噴射ノズル７から噴射されたガスが燃焼して、火炎が保持されるようにする火炎保持口９が設けられている。
【０００６】
このような従来のガス噴射装置は、接続アダプター３に取り付けられた携帯用ガス容器からガスが供給管５を介して移動し、噴射ノズル７から噴射され、噴射されたガスは、火口４の火炎保持口９の前端部部分で燃焼して火炎を発生させる。
そして、供給管５から供給されるガスの量は、調節部材６とガス調節口２により調節され、火炎の大きさを調節するようになる。
【０００７】
また、ガス容器が結合される接続アダプター３の内部には、供給されるガスの外部リークを防止できるＯリングが設けられている。
【０００８】
Ｏリングは、ガス容器に設けられたノズルの外面に密着できるようにノズルの直径と同じ直径で形成され、単一個が設けられている。
【０００９】
しかし、このような従来のガス噴射装置において、ガス容器をガス噴射装置の一側に、一体で設けられた接続アダプター３に結合させた後、点火装置８を介して点火させており、このような接続アダプター３に締結されるガス容器は、特定の形状を有する、例えば、ブタンガス容器などによって限定されるため、様々な形状のガス容器を締結することができないので、互換性が劣る問題があった。
【００１０】
また、接続アダプター３の内部には、特定形状のブタンガス容器のノズルと同じ直径を有する単一個のＯリングのみが設けられているので、前記ノズルのサイズが異なるガス容器を締結するときには、ガスが外部に漏えいされ、安全事故が発生しうるという問題があった。
【発明の概要】
【発明が解決しようとする課題】
【００１１】
本発明は、前記のような問題を解決するために案出されたものであり、単一個のガス容器接続アダプターを利用して、様々な形状のガス容器をガス容器接続アダプターと結合させても緊密に気密が行われるようにし、ガスが外部に漏えいされることを防止することができるガス容器接続アダプターを提供することを目的とする。
【課題を解決するための手段】
【００１２】
前記のような本発明の目的を達成するためのガス容器接続アダプターは、ガス容器結合部によりガス容器に結合され、前記ガス容器から供給されるガスを吐出するガス供給路が形成された本体と、前記ガス供給路の入口側に備えられ、前記ガス容器結合部に結合されるガス容器から供給されるガスが、前記ガス供給路の外側に漏えいされることを防止し、前記ガス容器に備えられたノズルの形状に応じて、選択的に前記ノズルと接触する複数の気密手段を備えた気密部と、を含むことを特徴とする。
【００１３】
また、前記気密手段は、相対的に短くて細く形成されたノズルと接触するように上側に配置され、相対的に小さな直径を有するように形成された第１のＯリングと、相対的に長くて太く形成されたノズルと接触するように前記第１のＯリングの下側に配置され、相対的に大きな直径を有するように形成された第２のＯリングと、を含んでいてもよい。
【００１４】
さらに、前記第１のＯリングと前記第２のＯリングと間には、前記第１のＯリングが離脱されることを防止できるように、その中央領域にノズル挿入孔が貫通形成された離脱防止板が備えられてもよい。
【００１５】
また、前記ノズル挿入孔の下側の外周面は、挿入されるノズルの上面が前記ノズル挿入孔の外周面に係止されることを防止するように、先細くなるように形成された傾斜面が備えられてもよい。
【発明の効果】
【００１６】
以上の本発明によるガス容器接続アダプターは、単一個のガス容器接続アダプターを利用して、様々な形状のガス容器をガス容器接続アダプターと結合させても緊密に気密が行われるようにし、ガスが外部に漏えいされることを防止することができる効果が奏する。
【図面の簡単な説明】
【００１７】
【図１】従来のガス容器接続アダプターを含むガストーチの構造を示した斜視図である。
【図２】図１のガス容器接続アダプターを含むガストーチの内部構造を示した断面図である。
【図３】本発明の一実施例に係るガス容器接続アダプターの構造を示した斜視図である。
【図４】図３のガス容器接続アダプターの内部構造を示した斜視図である。
【図５】本発明の一実施例に係るガス容器接続アダプターにブタンガス容器が結合された構造を分解して示した分解斜視図である。
【図６】本発明の一実施例に係るガス容器接続アダプターにブタンガス容器が結合された構造を示した縦断面図である。
【図７】本発明の一実施例に係るガス容器接続アダプターに充填用ガス容器が結合された構造を分解して示した分解斜視図であり、
【図８】本発明の一実施例に係るガス容器接続アダプターに充填用ガス容器が結合された構造を示した縦断面図である。
【発明を実施するための最良の形態】
【００１８】
以下、本発明の一実施例に係るガス容器接続アダプターを添付した図面に基づいて詳細に説明する。
【００１９】
図３は、本発明の一実施例に係るガス容器接続アダプターの構造を示した斜視図であり、図４は、図３のガス容器接続アダプターの内部構造を示した斜視図であり、図５は、本発明の一実施例に係るガス容器接続アダプターにブタンガス容器が結合された構造を分解して示した分解斜視図であり、図６は、本発明の一実施例に係るガス容器接続アダプターにブタンガス容器が結合された構造を示した縦断面図であり、図７は、本発明の一実施例に係るガス容器接続アダプターに充填用ガス容器が結合された構造を分解して示した分解斜視図であり、図８は、本発明の一実施例に係るガス容器接続アダプターに充填用ガス容器が結合された構造を示した縦断面図である。
【００２０】
図３〜８に示されるように、本発明に係るガス容器接続アダプターは、ガス容器結合部２００によりガス容器１０に結合され、ガス容器１０から供給されるガスを吐出し、ガス供給路１００が形成された本体１００と、ガス供給路１００の入口側に備えられ、ガス容器結合部２００に結合されるガス容器１０から供給されるガスがガス供給路１００の外側に漏えいされることを防止し、ガス容器１０に備えられたノズル１３の形状に応じて、選択的にノズル１３と接触される複数の気密手段３１０を備えた気密部３００と、を含んで構成されている。
【００２１】
まず、ガス容器１０は、上面にガス容器接続アダプターとの締結のための係止リング１１が形成されており、上部一側の外面には、その一部が切開形成された切開溝１２が形成され、上面中央には、ガスを外部に噴射する通路になるノズル１３が備えられている。
【００２２】
このようなガス容器１０は、一般に家庭で使用されており、切開溝１２が形成され、相対的に短くて太いノズル１３が形成されたブタンガス容器であってもよく、別途の切開溝１２が備えられていないライターなどにガスを供給することができるように相対的に長細く形成されたノズル１３が備えられたガス容器であってもよい。
【００２３】
ガス噴射装置の本体は、一側に燃料噴出管が延長形成され、燃料噴出管を介して噴出されるガスを燃焼させて、その端部に火炎が発生するようにし、加熱対象物を加熱させる役割を果たす。
【００２４】
本体１００は、ガス噴射装置の内部に埋め込まれた形態で備えられる部材であり、その中心には、ガスを供給する通路になるガス供給路１００が貫通形成されており、本体１００の内部の下側には、第１のＯリング３１１を収納する収納溝１２０が形成されている。
【００２５】
収納溝１２０の直径は、第１のＯリング３１１の外径と同じ長さで形成されることによって、収納溝１２０に収納された第１のＯリング３１１が流動しないようにすることが好ましい。
【００２６】
本体１００の一側に備えられたガス容器結合部２００は、リング状の部材外面に一定の間隔で離隔され、突出するように配置される複数の押片で構成してもよく、全体的に楕円状に形成された部材で構成してもよい。
【００２７】
気密部３００を構成する気密手段３１０は、相対的に短くて細く形成されたノズルと接触するように上側に配置され、相対的に小さな直径を有するように形成された第１のＯリング３１１と、相対的に長くて太く形成されたノズルと接触するように第１のＯリング３１１の下側に配置され、相対的に大きな直径を有するように形成された第２のＯリング３１２と、を含んで構成されている。
【００２８】
また、第１のＯリング３１１と第２のＯリング３１２と間には、第１のＯリング３１１が離脱されることを防止できるように、その中央領域にノズル挿入孔３１３ａが貫通形成された離脱防止板３１３が備えられている。
【００２９】
離脱防止板３１３の中央領域に形成されたノズル挿入孔３１３ａの下側の外周面は、挿入されるノズル１３の上面がノズル挿入孔３１３ａの外周面に係止されることを防止するように先細く形成された傾斜面３１３ｂが備えられるのが好ましい。
【００３０】
ガス容器接続アダプターは、本体１００とガス容器結合部２００と間に回転自在に設けられる上面部４１０と、上面部４１０の下面で下側に突出され結合部２００の周縁に配置され、結合部２００に対する相対回転駆動によって、ラック位置とアンラック位置に転換されながら選択的にガス容器１０上部に備えられた係止リング１１にラックされるロック部４２０と、上面部４１０の周縁部から下側に一定の長さで延長形成され、結合部２００に対して、ロック部４２０の相対回転駆動可能に上面部４１０を回転させる把持部４３０をさらに含んで構成されている。
【００３１】
上面部４１０は、平坦に形成され、本体１００とガス容器結合部２００と間に回転自在に備えられ、その板面の中央には、ガス容器１０のノズル１３が挿入されるノズル孔４１０ａが貫通形成されている。
【００３２】
また、ノズル孔４１０ａの周縁部には、上面部４１０が回転自在に本体１００とガス容器結合部２００と間に締結できるようにガス容器結合部２００を固定する固定ネジが貫通され得る貫通孔４１０ｂが弧状に形成されている。
【００３３】
ロック部４２０は、ガス容器１０に形成された係止リング１１と同じ円周上に、一定の間隔が離隔されるように配置される複数の係止片４２１で構成され、係止片４２１の下側の外面には、ロック部４２０がラック位置に配置時に係止リング１１に係止される係止突条４２１ａが突出形成されている。
【００３４】
このようなラック位置で、係止片４２１は結合部２００と重畳配置され、その下部が外側に広げられることで、係止片４２１が係止リング１１に係止され、そのために、結合部２００には別途の押片が形成されるか、又は結合部２００自体が楕円状に形成され、係止片４２１の下部が選択的に外側に広げられるようにし、本発明の一実施例に係るガス容器接続アダプターの場合に、結合部２００は押片が形成された構造である。
【００３５】
係止片４２１は、互いに対向するように配置され、ガス容器結合部２００とガス容器１０の締結力が均一に分配されるようにすると同時に、締結力を向上できるように押片と同様に複数個で備えられているのが好ましい。
【００３６】
また、係止片４２１の一側内面には、係止片４２１の回転を拘束するように結合部２００の一側に係止されるストッパー４２１ｂが突出形成されている。
【００３７】
ストッパー４２１ｂは、係止片４２１が結合部２００の押片と完全に重畳配置された状態を保持するように、係止片４２１の一側端部の内面に係止片４２１の高さ方向に沿って延び、内側に突出された部材である。
【００３８】
一方、上面部４１０の下面の一側には、ガス容器１０を締結時に、ガス容器１０に形成された切開溝１２に挿入される位置決定片４１１が突出形成されている。このような位置決定片４１１は、ガス容器１０が正位置に位置した状態でガス容器接続アダプターに挿入できるようにし、ガス容器１０の締結を容易にする役割を果たす。
【００３９】
また、上面部４１０の上面には、位置決定片４１１の位置を把握できるようにする矢印が印刷されてもよい。または、上面部４１０及び把持部４３０を透明な材質で形成することによって、位置決定片４１１の位置を容易に把握できるようにすることが好ましい。
【００４０】
把持部４３０は、上面部４１０の厚さ方向に沿って下側へ行くほど次第に広くなるように斜めに配置することができる。それにより、ガス容器接続アダプターに、ガス容器１０を挿入した状態で把持部４３０を用いたガス容器接続アダプターの回転は容易に行われるだけでなく、グリップ感が向上される。
【００４１】
このような把持部４３０の内面には、複数の補強リブ４３１が備えられることによって、使用者が把持部４３０を把持し、回転させるときに把持部４３０の外形が変形されることを防止するようになる。このとき、補強リブ４３１は、一側面が上面部４１０の下面に固定され、他側面が把持部４３０の内面に固定される。
【００４２】
このような構成を有する本発明の一実施例に係るガス容器接続アダプターを利用して、ガス容器接続アダプターにガス容器を結合させる過程は次の通りである。
【００４３】
ノズルが短くて太く形成されたブタンガス容器の場合には、ガス容器１０の上面に形成された切開溝１２に位置決定片４１１が挿入されるようにしながら、ガス容器１０がガス容器結合部２００の下面と接触するようにガス容器１０を下側から上側に嵌め込む。
【００４４】
このような状態で、把持部４３０を利用して上面部４１０を一定角度回転させれば、係止片４２１が結合部２００と重畳される位置に配置されながら、係止片４２１の下段が外側に広げられ、係止突条４２１ａがガス容器１０の係止リング１１に係止され、ガス容器１０が締結完了される。
【００４５】
ガス容器１０の締結が完了すれば、ガス容器１０に備えられたノズル１３が第２のＯリング３１２と接触して気密が保持され、ガス容器１０から供給されるガスが外部に漏えいされない状態になる。
【００４６】
ガス容器１０が前記した過程により、ガス噴射装置に締結が完了すれば、ガス噴射装置の一側に備えられた燃料供給調節ノズルを開放した状態で、点火させることによって、ガス噴射装置を利用して加熱対象物を加熱できるようになる。
【００４７】
ガス噴射装置の使用が完了した後には、前記した過程を逆順に進めることで、ガス容器１０をガス噴射装置から分離させ、別途保管する。
【００４８】
一方、ノズルが長細く形成されたブタンガス容器の場合には、ガス容器１０の上面に切開溝１２が形成されていないので、ガス容器１０をガス容器接続アダプターの下側から上側に押し込んだ状態で、ガス容器接続アダプターの把持部４３０を利用して上面部４１０を一定角度回転させる。
【００４９】
把持部４３０を一定角度回転させれば、係止片４２１が結合部２００と重畳される位置に配置されながら、係止片４２１の下段が外側に広げられ、係止突条４２１がガス容器１０の係止リング１１に係止され、ガス容器１０がガス容器接続アダプターに締結される。
【００５０】
ガス容器接続アダプターにガス容器１０の締結が完了すれば、ガス容器１０に備えられたノズル１３が第１のＯリング３１１と接触して気密が保持されることによって、ガス容器１０から供給されるガスが外部に漏えいされない状態になる。
【００５１】
ガス容器１０が前記した過程により、ガス容器接続アダプターに締結が完了すれば、ガス噴射装置に備えられた燃料供給調節ノズルを開放した状態で、点火させることによって、ガス噴射装置を利用して加熱対象物を加熱できるようになる。
【００５２】
その後、ガス噴射装置の使用が完了した後には、前記した過程を逆順に進めることで、ガス容器１０をガス噴射装置から分離し、別途保管する。
【００５３】
以上は、本発明により具現し得る好ましい一実施例の一部について説明したに過ぎなく、周知された通りに、本発明の範囲は前記の一実施例に限定されて解析されるべきものではない。前述された本発明の技術的思想とその根本を共にする技術的思想はいずれも本発明の範囲に含まれる。
【符号の説明】
【００５４】
１０  ガス容器
１１  係止リング
１２  切開溝
１３  ノズル
１００  本体
１１０  ガス供給路
２００  ガス容器結合部
３００  気密部
３１０  気密手段
３１１  第１のＯリング
３１２  第２のＯリング
３１３  離脱防止板
３１３ａ  ノズル挿入孔
３１３ｂ  傾斜面
４１０  上面部
４１１  位置決定片
４２０  ロック部
４２１  係止片
４２１ａ  係止突条
４２１ｂ  ストッパー
４３０  把持部
４３１  補強リブ。
【図１】
2016023927.tif 000003
【図２】
2016023927.tif 000004
【図３】
2016023927.tif 000005
【図４】
2016023927.tif 000006
【図５】
2016023927.tif 000007
【図６】
2016023927.tif 000008
【図７】
2016023927.tif 000009
【図８】
2016023927.tif 000010